(57)【特許請求の範囲】
【請求項１】
原稿に光を照射する照明手段と、
前記原稿からの光束を反射させて光路を形成するミラーと、
前記ミラーにより反射された光束を結像させる結像レンズと、
前記結像レンズの結像位置に配置され、前記結像レンズによる結像に基づいて前記原稿の画像を読み取る読取手段と、を備え、
前記照明手段は、
主走査方向に所定間隔で配置される複数の発光部と、
前記複数の発光部と前記原稿との間に配置され、前記複数の発光部により発光された光を拡散させる拡散板と、
前記拡散板により拡散された光の一部であって前記原稿に直接照射されない光を反射させて原稿に照射させる反射部と、
前記拡散板と前記原稿との間に配置され、前記拡散板により拡散された光の一部を、前記反射部に照射される拡散光に分割する光分割手段と、を有し、
前記拡散板は、前記複数の発光部により発光された光を副走査方向への拡散よりも高い拡散率で主走査方向に拡散させる楕円拡散板であり、
前記光分割手段は、ミラー面を有する三角柱形状の透明部材であり、前記ミラー面が前記楕円拡散板に対して所定角度をなすように、前記楕円拡散板に取り付けられる
画像読取装置。
【請求項２】
前記照明手段は、前記複数の発光部と前記拡散板との間に配置される導光体と、を更に有する
請求項１に記載の画像読取装置。
【請求項３】
原稿に光を照射する照明手段と、
前記原稿からの光束を反射させて光路を形成するミラーと、
前記ミラーにより反射された光束を結像させる結像レンズと、
前記結像レンズの結像位置に配置され、前記結像レンズによる結像に基づいて前記原稿の画像を読み取る読取手段と、を備え、
前記照明手段は、
主走査方向に所定間隔で配置される複数の発光部と、
前記複数の発光部により発光された光の一部であって前記原稿に直接照射されない光を反射させて前記原稿に照射させる反射部と、
前記複数の発光部と前記原稿との間に位置すると共に前記反射部と前記原稿との間に位置するように配置され、前記複数の発光部により発光された光の一部であって前記複数の発光部から直接入光した光と前記反射部からの光とを拡散させる拡散板と、
前記拡散板により拡散された光の一部であって前記原稿に直接照射されない光を反射させて原稿に照射させる反射部と、
前記拡散板と前記原稿との間に配置され、前記拡散板により拡散された光の一部を、前記反射部に照射される拡散光に分割する光分割手段と、を有し、
前記拡散板は、前記複数の発光部により発光された光を副走査方向への拡散よりも高い拡散率で主走査方向に拡散させる楕円拡散板であり、
前記光分割手段は、ミラー面を有する三角柱形状の透明部材であり、前記ミラー面が前記楕円拡散板に対して所定角度をなすように配置される
画像読取装置。
【請求項４】
前記照明手段は、前記複数の発光部と前記拡散板との間に配置される導光体と、を更に有する
請求項３に記載の画像読取装置。
【請求項５】
前記拡散板は、前記複数の発光部からの光における主走査方向についての光量差が少なくなる位置に配置される
請求項１から４のいずれかに記載の画像読取装置。
【請求項６】
前記拡散板は、前記複数の発光部からの光が主走査方向において略均一となる位置に配置される
請求項５に記載の画像読取装置。
【請求項７】
前記複数の発光部と前記拡散板とは、一体的に構成される取り付け部材に前記複数の発光部からの光が主走査方向において略均一になる位置関係が維持された状態でそれぞれ取り付けられる
請求項１から６のいずれかに記載の画像読取装置。
【請求項８】
前記取り付け部材には、
前記原稿側に配置され前記拡散板を載置する載置部と、
前記載置部に主走査方向へ延びるように形成され、前記拡散板に入光される光が通る開口部と、が形成される
請求項７に記載の画像読取装置。
【請求項９】
請求項１から８のいずれかに記載の画像読取装置と、
前記画像読取装置より読み取られた前記原稿の画像に関する画像情報に基づいて、表面に静電潜像が形成される像担持体と、
前記像担持体に形成された静電潜像にトナー画像を現像する現像器と、
前記像担持体に形成されたトナー画像を直接的又は間接的に所定の用紙に転写する転写部と、
前記転写部により前記所定の用紙に転写されたトナー画像を定着させる定着部と、を備える
画像形成装置。
【発明の詳細な説明】
【技術分野】
【０００１】
本発明は、画像読取装置及び、画像読取装置を備える画像形成装置に関する。
【背景技術】
【０００２】
従来、原稿の画像を読み取る画像読取装置として、原稿に光を照射する発光部を有する照明手段と、原稿からの光を反射させて光路を形成するミラーと、原稿からの光束を結像させる結像レンズと、結像レンズにより結像された原稿の画像を読み取るＣＣＤ（Ｃｈａｒｇｅ―Ｃｏｕｐｌｅｄ  Ｄｅｖｉｃｅ）と、を備える画像読取装置が知られている。
【０００３】
更に、一方向のみから光を照射した場合に生じる原稿の厚みに起因するエッジ影の発生を抑制するため、反射板を利用して、発光部からの直接光とは異なる方向から原稿に光を照射する画像読取装置が知られている。
【０００４】
ここで、近年、照明手段を構成する発光部として、蛍光灯やキセノン管等の管状の発光部材だけでなく、ＬＥＤ（Ｌｉｇｈｔ―Ｅｍｉｔｔｉｎｇ  Ｄｉｏｄｅ）等の発光素子が用いられている。例えば、複数の発光素子を主走査方向に配列すると共に、反射板により複数の発光素子から直接照射される光とは異なる方向からの光を原稿に照射させるようにした画像読取装置が提案されている（例えば、特許文献１参照）。
【特許文献１】特開２００２−３１４７６０号公報
【発明の開示】
【発明が解決しようとする課題】
【０００５】
しかし、特許文献１の画像読取装置において、いわゆるエッジ影の発生は抑制できるが、複数の発光素子を主走査方向に配列することで照明手段を構成した場合、原稿面において配光ムラ（光量ムラ）が生じる場合があった。これにより、同濃度の原稿を読み込んだ場合、ＣＣＤが受光する光量が均一でなくなり（光量ムラがある）、読取画像において濃度ムラが発生する場合があった。
【０００６】
また、この光量ムラを抑制するために複数の発光素子を隙間なく配置した場合には、画像読取装置におけるコストが上昇するという問題があった。
【０００７】
本発明の目的における一の側面は、反射部材を用いることでいわゆるエッジ影の発生を抑制すると共に、原稿と複数の発光部との間に拡散板を配置することで原稿に照射される光における光量ムラが抑制された画像読取装置を提供することである。
また、本発明の目的における他の側面は、上述の画像読取装置を備える画像形成装置を提供することである。
【課題を解決するための手段】
【０００８】
本発明は、原稿に光を照射する照明手段と、前記原稿からの光束を反射させて光路を形成するミラーと、前記ミラーにより反射された光束を結像させる結像レンズと、前記結像レンズの結像位置に配置され、前記結像レンズによる結像に基づいて前記原稿の画像を読み取る読取手段と、を備え、前記照明手段は、主走査方向に所定間隔で配置される複数の発光部と、前記複数の発光部と前記原稿との間に配置され、前記複数の発光部により発光された光を拡散させる拡散板と、前記拡散板により拡散された光の一部であって前記原稿に直接照射されない光を反射させて原稿に照射させる反射部と、を有する画像読取装置に関する。
【０００９】
また、前記照明手段は、前記複数の発光部と前記拡散板との間に配置される導光体と、を更に有することが好ましい。
【００１０】
また、前記照明手段は、前記拡散板と前記原稿との間に配置され、前記拡散板により拡散された光を前記原稿に直接照射される第１拡散光と前記反射部に照射される第２拡散光とに分割する光分割手段と、を更に有することが好ましい。
【００１１】
また、前記光分割手段は、拡散された光の一部を反射する反射部材、又は拡散された光の一部を屈曲させる屈曲部材を含んで構成されることが好ましい。
【００１２】
本発明は、原稿に光を照射する照明手段と、前記原稿からの光束を反射させて光路を形成するミラーと、前記ミラーにより反射された光束を結像させる結像レンズと、前記結像レンズの結像位置に配置され、前記結像レンズによる結像に基づいて前記原稿の画像を読み取る読取手段と、を備え、前記照明手段は、主走査方向に所定間隔で配置される複数の発光部と、前記複数の発光部により発光された光の一部であって前記原稿に直接照射されない光を反射させて前記原稿に照射させる反射部と、前記複数の発光部と前記原稿との間に位置すると共に前記反射部と前記原稿部との間に位置するように配置され、前記複数の発光部により発光された光の一部であって前記複数の発光部から直接入光した光と前記反射部からの光とを拡散させる拡散板と、を有する画像読取装置に関する。
【００１３】
また、前記照明手段は、前記複数の発光部と前記拡散板との間に配置される導光体と、を更に有することが好ましい。
【００１４】
また、前記導光体は、前記複数の発光部からの光を前記原稿側に導光する第１導光部と、前記反射部側に導光する第２導光部と、を有することが好ましい。
【００１５】
また、前記拡散板は、前記複数の発光部からの光が入光される第１拡散部と、前記反射部からの光が入光される第２拡散部と、副走査方向において前記第１拡散部と前記第２拡散部との間に形成され前記原稿からの光束を拡散することなく透過させる非拡散部と、を有することが好ましい。
【００１６】
また、前記拡散板は、前記複数の発光部により発光された光を副走査方向への拡散よりも高い拡散率で主走査方向に拡散させる楕円拡散板であることが好ましい。
【００１７】
また、前記拡散板は、前記複数の発光部からの光における主走査方向についての光量差が少なくなる位置に配置されることが好ましい。
【００１８】
また、前記拡散板は、前記複数の発光部からの光が主走査方向において略均一となる位置に配置されることが好ましい。
【００１９】
また、前記複数の発光部と前記拡散板とは、一体的に構成される取り付け部材に前記複数の発光部からの光が主走査方向において略均一になる位置関係が維持された状態でそれぞれ取り付けられることが好ましい。
【００２０】
また、前記取り付け部材には、前記原稿側に配置され前記拡散板を載置する載置部と、前記載置部に主走査方向へ延びるように形成され、前記拡散板に入光される光が通る開口部と、が形成されることが好ましい。
【００２１】
本発明は、請求項１から１３のいずれかに記載の画像読取装置と、前記画像読取装置より読み取られた前記原稿の画像に関する画像情報に基づいて、表面に静電潜像が形成される像担持体と、前記像担持体に形成された静電潜像にトナー画像を現像する現像器と、前記像担持体に形成されたトナー画像を直接的又は間接的に所定の用紙に転写する転写部と、前記転写部により前記所定の用紙に転写されたトナー画像を定着させる定着部と、を備える画像形成装置に関する。
【発明の効果】
【００２２】
本発明によれば、反射部材を用いることでいわゆるエッジ影の発生を抑制すると共に、原稿と複数の発光部との間に拡散板を配置することで原稿に照射される光における光量ムラが抑制された画像読取装置を提供することができる。
また、本発明は、上述の画像読取装置を備える画像形成装置を提供することができる。
【発明を実施するための最良の形態】
【００２３】
以下、図面を参照して本発明を実施するための最良の形態を説明する。
まず、図１から図１０Ｃにより、本発明における第１実施形態について説明する。
図１により、第１実施形態における画像形成装置としてのカラーコピー機１における全体構造を説明する。図１は、カラーコピー機１における各構成要素の配置を説明するための左側面図である。本実施形態において、後述する手差しトレイ６５が配置された側（図１における右側）をカラーコピー機１の前側とする。
【００２４】
画像形成装置としてのカラーコピー機１は、該カラーコピー機１における上方側に配置される画像読取装置３００と、下方側に配置され画像読取装置３００からの画像情報に基づいて用紙Ｔにトナー画像を形成する装置本体Ｍと、を備える。
【００２５】
画像読取装置３００は、所定の原稿Ｇ（図２参照）を送り出す原稿送り部７０と、原稿Ｇの画像を読み込む読取部３０１と、を備える。原稿送り部７０は、読取部３０１に対して不図示の連結部により開閉可能に連結される。原稿送り部７０は、後述する読取面３０２Ａ（図３参照）を保護する機能も有する。
【００２６】
原稿送り部７０が閉状態の場合、原稿Ｇは、原稿送り部７０における上面に形成される原稿載置部７１に載置される。原稿載置部７１に載置された原稿Ｇは、不図示の送りローラにより読取部３０１における読取面３０２Ａを構成する第１読取面３０３Ａ（図３参照）に移動される。この場合、後述する照明ユニット３４７及びミラーユニット３４９（図３参照）は、第１位置３０３（図３参照）に固定される。そして、原稿Ｇが第１読取面３０３Ａをスライドするように移動されることで、読取手段としてのＣＣＤ３５８（図３参照）により、原稿Ｇの表面に形成された画像が読み取られる。
【００２７】
原稿送り部７０が開状態の場合、原稿Ｇは、読取面３０２Ａを構成する第２読取面３０４Ａ（図３参照）に載置される。この場合、照明ユニット３４７及びミラーユニット３４９は、第２位置３０４（図３参照）に配置されると共に、第２位置３０４おいて副走査方向Ｘにそれぞれ移動する。照明ユニット３４７及びミラーユニット３４９は、後述する光路Ｈ（図３参照）の長さ（光路長）を一定に保持しながら移動される。これにより、第２読取面３０４Ａに載置された原稿Ｇの画像が読みとられる。
画像読取装置３００における読取部３０１については、後に詳述する。
【００２８】
装置本体Ｍは、像担持体としての感光体ドラム２ａ、２ｂ、２ｃ、２ｄと、帯電部１０ａ、１０ｂ、１０ｃ、１０ｄと、レーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給装置６ａ、６ｂ、６ｃ、６ｄと、中間転写ベルト７と、１次転写ローラ３７ａ、３７ｂ、３７ｃ、３７ｄと、２次転写ローラ８を含む中間転写ユニット２００と、定着装置９と、を備える。また、装置本体Ｍは、該装置本体Ｍの下方側に引き出し可能に配置され用紙Ｔが積層された状態で収納される給紙カセット５２を備える。また、装置本体Ｍは、給紙カセット５２から送り出された用紙Ｔが搬送される搬送路５４を備える。
【００２９】
感光体ドラム２ａ、２ｂ、２ｃ、２ｄは、円筒形状の部材である。感光体ドラム２ａ、２ｂ、２ｃ、２ｄそれぞれは、図１に対して垂直な回転軸を中心に矢印の方向に回転可能に配置される。感光体ドラム２ａ、２ｂ、２ｃ、２ｄそれぞれにおける表面には、静電潜像が形成される。
【００３０】
帯電部１０ａ、１０ｂ、１０ｃ、１０ｄは、感光体ドラム２ａ、２ｂ、２ｃ、２ｄそれぞれの上方に配置される。帯電部１０ａ、１０ｂ、１０ｃ、１０ｄは、感光体ドラム２ａ、２ｂ、２ｃ、２ｄそれぞれの表面を一様に正（プラス極性）帯電させる。
【００３１】
レーザスキャナユニット４ａ、４ｂ、４ｃ、４ｄは、感光体ドラム２ａ、２ｂ、２ｃ、２ｄそれぞれの上方に感光体ドラム２ａ、２ｂ、２ｃ、２ｄそれぞれから離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００３２】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００３３】
現像器１６ａ、１６ｂ、１６ｃ、１６ｄそれぞれは、感光体ドラム２ａ、２ｂ、２ｃ、２ｄの側方（図１において左側）に配置される。現像器１６ａ、１６ｂ、１６ｃ、１６ｄそれぞれは、感光体ドラム２ａ、２ｂ、２ｃ、２ｄに形成された静電潜像に各色のトナー画像を現像する。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄに対向配置可能な現像ローラ１１６ａ、１１６ｂ、１１６ｃ、１１６ｄとトナー攪拌用の攪拌ローラとを有して構成される。
【００３４】
トナーカートリッジ５ａ、５ｂ、５ｃ、５ｄそれぞれは、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３５】
トナー供給装置６ａ、６ｂ、６ｃ、６ｄそれぞれは、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００３６】
中間転写ベルト７には、感光体ドラム２ａ、２ｂ、２ｃ、２ｄに現像された各色のトナー画像が順次転写される。中間転写ベルト７は、駆動ローラ３５とテンションローラ３６との間に掛け渡されて配置される。テンションローラ３６がバネ３８によって駆動ローラ３５から離れる側に付勢されているので、中間転写ベルト７には、所定の張力が与えられる。
【００３７】
中間転写ベルト７における感光体ドラム２ａ、２ｂ、２ｃ、２ｄと反対の側には、１次転写ローラ３７ａ、３７ｂ、３７ｃ、３７ｄそれぞれが対向して配置される。
【００３８】
１次転写ローラ３７ａ、３７ｂ、３７ｃ、３７ｄそれぞれと、感光体ドラム２ａ、２ｂ、２ｃ、２ｄそれぞれとにより、中間転写ベルト７における所定部分が挟み込まれる。この挟み込まれた所定部分は、感光体ドラム２ａ、２ｂ、２ｃ、２ｄそれぞれにおける表面に押し当てられる。このようにして１次転写ニップＮ１ａ、Ｎ１ｂ、Ｎ１ｃ、Ｎ１ｄが形成され、感光体ドラム２ａ、２ｂ、２ｃ、２ｄそれぞれに現像された各色トナー画像が中間転写ベルト７に順次転写される。これにより、中間転写ベルト７には、フルカラーのトナー画像が形成される。
【００３９】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００４０】
２次転写ローラ８は、中間転写ベルト７に１次転写されたトナー画像を用紙Ｔに２次転写させる。２次転写ローラ８には、不図示の電圧印加手段により、中間転写ベルト７のトナー画像を用紙Ｔに転写させるための２次転写バイアスが印加される。
【００４１】
２次転写ローラ８は、中間転写ベルト７に対して接離される。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。ここで、２次転写ローラ８における接離動作は中間転写ユニット２００全体が回動移動されることによりなされる。
【００４２】
２次転写ローラ８は、中間転写ユニット２００に含まれる。中間転写ユニット２００は、２次転写ローラ８を収容すると共に該２次転写ローラ８を回転可能に軸支するハウジング２０１と、ハウジング２０１の側面に配置される回転駆動ギア２１０と、２次転写ローラ８の回転軸方向であってハウジング２０１の側面に配置されるローラ側ギア２２０と、回転駆動ギア２１０とローラ側ギア２２０とに当接して配置されるアイドルギア２３０とを備える。中間転写ユニット２００は、不図示の接離手段により、不図示の回転軸を中心として２次転写ローラ８が中間転写ベルト７に当接可能な位置と、中間転写ベルト７に当接しない位置とに回動移動される。
【００４３】
中間転写ベルト７における２次転写ローラ８に対向する側には、対抗ローラ１０８が配置される。中間転写ベルト７における所定部分は、２次転写ローラ８と対抗ローラ１０８とによって挟み込まれる。そして、用紙Ｔは中間転写ベルト７の表面（画像が１次転写された側）に押し当てられる。このようにして２次転写ニップＮ２が形成され、中間転写ベルト７に１次転写されたトナー画像が用紙Ｔに２次転写される。
【００４４】
定着装置９は、用紙Ｔに２次転写されたトナー画像を構成する各色トナーを溶融定着させる。定着装置９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟持するようにして搬送する。加熱ローラ９ａと加圧ローラ９ｂとの間に挟持されるように搬送されることで、用紙Ｔに転写されたトナーは溶融定着される。
【００４５】
２次転写ローラ８とテンションローラ３６との間には、中間転写ベルト７を清掃するためのベルトクリーニング装置４０が配置される。ベルトクリーニング装置４０は、中間転写ベルト７の表面に摺接されるクリーニングブラシ４１と、クリーニングブラシ４１と接触するように配置されたクリーニングローラ４２と、先端がクリーニングローラ４２の表面に接触するように配置されるブレード４３と、ブレード４３の下方に配置された回収スパイラル４４と、を備える。
【００４６】
装置本体Ｍにおける下方側には、用紙Ｔを収容する給紙カセット５２が水平方向に引き出し可能に配置される。給紙カセット５２には、用紙Ｔが積層された状態で収容される。給紙カセット５２には、用紙Ｔが載置される載置板６０が配置される。載置板に載置された用紙Ｔは、給紙カセット５２の用紙送り出し側端部（図１における右側端部）に配置されるカセット給紙部５１により搬送路５４に送り出される。カセット給紙部５１は、載置板６０上の用紙Ｔを取り出すための前送りコロ６１と、用紙Ｔを１枚ずつ搬送路５４に送り出すための給紙ローラ対６３からなる重送防止機構を備える。
【００４７】
カセット給紙部５１と排紙部５０との間には、用紙Ｔを搬送する搬送路５４が形成される。搬送路５４は、カセット給紙部５１から２次転写ローラ８までの第１搬送路５５と、２次転写ローラ８から定着装置９までの第２搬送路５６と、定着装置９から排紙部５０までの第３搬送路５７とを有する。また、定着装置９の出口には、分岐爪５８が設けられており、この分岐爪５８と第１搬送路５５における後述する湾曲路５５ａとの間には、用紙Ｔを第１搬送路５５に戻すための戻し搬送路５９が形成される。
【００４８】
第１搬送路５５は、給紙カセット５２から送り出された用紙Ｔを上方に搬送しつつ搬送方向を図１における左方向にするための湾曲路５５ａと、湾曲路５５ａから２次転写ローラ８までの直線路５５ｂとを有する。第１搬送路５５には、用紙Ｔを案内しながら搬送するガイド板及びローラ対が配置される。また、第１搬送路５５には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信情報に基づいて上述の補正やタイミング調整をして用紙Ｔを搬送する。
【００４９】
第２搬送路５６は、定着装置９側に向かって下方側に傾いた直線状の搬送路である。第２搬送路５６には、用紙Ｔを載置した状態で搬送する搬送ベルト１５６が配置される。また、第２搬送路５６における所定位置には、用紙Ｔを検出するためのセンサが配置される。
【００５０】
第３搬送路５７は、定着装置９の出口から図１における左斜め上方に向かうよう形成される。第３搬送路５７は、分岐爪５８の搬送方向下流側に位置し上方へ向かって形成される縦搬送路５７ａを有して構成される。第３搬送路５７により搬送される用紙Ｔは、分岐爪５８の上面側を通過した後、ほぼ垂直上方に向かって搬送されて排紙部５０から装置本体Ｍの外部に排出される。第３搬送路５７は、他の搬送路と同様に、用紙Ｔを案内しながら搬送するガイド板及びローラ対を有して構成される。
【００５１】
戻し搬送路５９は、分岐爪５８から第３搬送路５７とは反対側の下方に分岐し、定着装置９、第２搬送路５６、２次転写ローラ８及びレジストローラ対８０の下方を通り、更に上方に向かうよう形成される。戻し搬送路５９は、第１搬送路５５における湾曲路５５ａに合流するように形成される。戻し搬送路５９は、定着装置９を通過した用紙Ｔを、２次転写ローラ８の上流側に配置されたレジストローラ対８０の上流側に戻すための搬送路である。戻し搬送路５９は、用紙Ｔの両面にトナー画像（文字等を含む）を印刷（印字）する、いわゆる両面印刷（印字）をする場合に用いられる搬送路である。用紙Ｔは、例えば、反転ローラ６００により表裏が反転された状態で戻し搬送路５９を介して第１搬送路５５に戻される。戻し搬送路５９は、他の搬送路と同様に、用紙Ｔを案内しながら搬送するガイド板及びローラ対を有して構成されると共に、所定位置には用紙検出用のセンサが配置される。
【００５２】
装置本体Ｍの図１における右側面であって給紙カセット５２の上方には、手差し給紙部６４が設けられる。手差し給紙部６４は、閉状態において側壁を構成する手差しトレイ６５と、給紙コロ６６とを備える。手差しトレイ６５は、下端が第１搬送路５５の湾曲路５５ａの近傍に回動自在（開閉自在）に取り付けられる。手差し給紙部６４は、開状態の手差しトレイ６５に載置された用紙Ｔを第１搬送路５５の湾曲路５５ａに給紙する。
【００５３】
次いで、図２から図７Ｂにより、画像読取装置３００を構成する読取部３０１について説明する。
図２は、読取部３０１の内部構造を示す概略平面図である。図３は、図２を矢印Ｓ方向から見た図である。なお、図３は、図２において示される部材を説明のために適宜省いた模式的な図である。図４は、照明部３４７ａの構成を説明する断面図である。図５は、照明部３４７ａの構成を説明する上方から見た平面図である。図６Ａは、従来の拡散板５０７Ａを用いた場合における光の拡散状態を説明する模式図である。図６Ｂは、楕円拡散板５０７を用いた場合における光の拡散状態を説明する模式図である。図７Ａは、楕円拡散板５０７の配置位置における一例を示す図である。図７Ｂは、楕円拡散板５０７の配置位置における他の例を示す図である。
【００５４】
図２及び図３に示すように、読取部３０１は、原稿Ｇが載置されるコンタクトガラス３３５と、一対の案内レール３４５と、駆動プーリ３５１が取り付けられた駆動軸３５０と、従動プーリ３５２が取り付けられた支軸３５３と、照明手段としての照明ユニット３４７と、ミラーユニット３４９と、結像レンズ３５７と、読取手段としてのＣＣＤ３５８と、光学センサ３６２と、を備える。
【００５５】
図２に示すように、読取部３０１は、上面（図２における手前側）に配置され原稿Ｇが載置されるコンタクトガラス３３５を有する。コンタクトガラス３３５は、カラーコピー機１が通常の状態で配置された場合、水平面と略平行に配置される。
【００５６】
図２に示すように、一対の案内レール３４５は、読取部３０１における側面３０６ａ、３０６ｂ（図２における左右）同士の間に配置される。一対の案内レール３４５は、上述のコンタクトガラス３３５（図３参照）と平行に設置される。一対の案内レール３４５上には、照明ユニット３４７及びミラーユニット３４９が移動可能に載置される。
【００５７】
図２に示すように、駆動軸３５０は、側面３０６ａ側に案内レール３４５と直交するように配置される。駆動軸３５０は、不図示の駆動モータにより正転、逆転駆動される。駆動軸３５０の両端であって案内レール３４５よりも主走査方向Ｙ外側には、大径部及び小径部を有する駆動プーリ３５１が取り付けられる。
【００５８】
図２に示すように、支軸３５３は、側面３０６ｂ側に案内レール３４５と直交するように配置される。支軸３５３の両端であって案内レール３４５よりも主走査方向Ｙ外側には、駆動プーリ３５１と同一径の従動プーリ３５２が取り付けられる。
【００５９】
駆動プーリ３５１及び従動プーリ３５２の大径部には、駆動用ワイヤー３５４ａが掛け渡される。そして、駆動用ワイヤー３５４ａには、照明ユニット３４７が固定される。
また、駆動プーリ３５１及び従動プーリ３５２の小径部には、駆動用ワイヤー３５４ｂが掛け渡される。そして、駆動用ワイヤー３５４ｂにはミラーユニット３４９が固定される。
【００６０】
駆動軸３５０が駆動モータによって回転されることで、駆動用ワイヤー３５４ａ、３５４ｂは回動される。駆動用ワイヤー３５４ａ、３５４ｂが回動されることで、照明ユニット３４７及びミラーユニット３４９は、案内レール３４５に沿って副走査方向Ｘ（図の左右方向）に移動される。駆動プーリ３５１及び従動プーリ３５２の大径部と小径部の径比が２：１であるため、照明ユニット３４７とミラーユニット３４９の移動距離の比は２：１となる。
【００６１】
ここで、照明ユニット３４７及びミラーユニット３４９における案内レール３４５の上面と接する部分には、接触子３５５がそれぞれ２個ずつ設けられる。各接触子３５５の案内レール３４５との接触面は球面状となっている。これにより、照明ユニット３４７及びミラーユニット３４９は、副走査方向Ｘへスムースに移動される。
【００６２】
図２に示すように、読取部３０１の底面における側面３０６ａ側には、支持部材であるＩＳＵベース３５６が取り付けられる。ＩＳＵベース３５６の上面には、結像レンズ３５７と、読取手段としてのＣＣＤ３５８が所定の位置関係で取り付けられる。
【００６３】
図２に示すように、結像レンズ３５７は、ＩＳＵベース３５６に固定されるレンズ支持台３５９上に設置される。レンズ支持台３５９は、ＣＣＤ３５８側に配置されるガイド部材３６０により位置が調整可能に配置される。結像レンズ３５７は、読取部３０１の副走査方向Ｘにおける略中央に配置される。結像レンズ３５７は、光路Ｈ（図３参照）における原稿Ｇ側と反対の端部側に配置される。結像レンズ３５７は、入射された光束Ｈ４（図３参照）を所定位置において結像させる。つまり、結像レンズ３５７は、原稿Ｇの画像を所定位置において結像させる。
【００６４】
図２に示すように、ＣＣＤ３５８は、ガイド部材３６０の背面に配置されるＣＣＤ基板３６１に実装される。ＣＣＤ３５８は、結像レンズ３５７における結像位置に配置される。結像レンズ３５７からの光束は、ガイド部材３６０の中央付近に形成される開口窓３６０ａを通ってＣＣＤ３５８に入射される。ＣＣＤ３５８に入射される光束における光軸は、ガイド部材３６０の位置を微調整することにより補正される。
【００６５】
光学センサ３６２は、ＩＳＵベース３５６上に配置される。光学センサ３６２は、コンタクトガラス３３５上に載置された原稿Ｇからの反射光を受光するか否かによって原稿のサイズ（図２の左右方向）を検知する。
【００６６】
図３に示すように、照明ユニット３４７は、照明手段としての照明部３４７ａと、第１ミラー３４７ｂと、照明部３４７ａ及び第１ミラー３４７ｂを収容する第１枠体３４７ｃと、を備える。
【００６７】
照明部３４７ａは、複数の発光部としての複数のＬＥＤ５０１と、複数のＬＥＤ５０１に近接又は当接して配置される導光体５０５と、導光体５０５におけるコンタクトガラス３３５側に配置される拡散板としての楕円拡散板５０７と、楕円拡散板５０７により拡散された光の一部を後述する第２反射ミラー５４１側に向かうように反射する第１反射ミラー５４０と、第１反射ミラー５４０からの光を原稿に照射させる第２反射ミラー５４１と、を備える。
照明部３４７ａについては、後に詳述する。
【００６８】
第１ミラー３４７ｂは、照明ユニット３４７における厚さ方向Ｚにおける下方側に配置される。第１ミラー３４７ｂは、反射面が原稿Ｇ及び第２ミラー３４９ａ側に向くように配置される。第１ミラー３４７ｂは、原稿からの光束Ｈ１を第２ミラー３４９ａに反射させる。
【００６９】
第１枠体３４７ｃは、照明部３４７ａと第１ミラー３４７ｂとを収容する。第１枠体３４７ｃは、駆動プーリ３５１及び従動プーリ３５２（図２参照）の大径部に掛け渡される駆動用ワイヤー３５４ａ（図２参照）に固定される。駆動用ワイヤー３５４ａ、３５４ｂが回動されることで、第１枠体３４７ｃは、案内レール３４５に沿って副走査方向Ｘに移動される。
【００７０】
図３に示すように、ミラーユニット３４９は、第２ミラー３４９ａと、第３ミラー３４９ｂと、第２ミラー３４９ａと第３ミラー３４９ｂとを収容する第２枠体３４９ｃと、を備える。
【００７１】
第２ミラー３４９ａは、第２枠体３４９ｃの厚さ方向Ｚにおける上方側に配置される。第２ミラー３４９ａは、反射面が第１ミラー３４７ｂ及び第３ミラー３４９ｂ側を向くように配置される。第２ミラー３４９ａは、第１ミラー３４７ｂからの光束Ｈ２を第３ミラー３４９ｂ側に反射させる。
【００７２】
第３ミラー３４９ｂは、第２枠体３４９ｃの厚さ方向Ｚにおける下方側に配置される。第３ミラー３４９ｂは、反射面が第２ミラー３４９ａ及び結像レンズ３５７側を向くように配置される。第３ミラー３４９ｂは、第２ミラー３４９ａからの光束Ｈ３を結像レンズ３５７側に反射させる。
【００７３】
第１ミラー３４７ｂと、第２ミラー３４９ａと、第３ミラー３４９ｂとは、原稿Ｇからの光を結像レンズ３５７に入光させるための光路Ｈを形成する。上述の通り、照明ユニット３４７が副走査方向Ｘに速度Ａで移動すると共に、ミラーユニット３４９が副走査方向Ｘに速度Ａ／２で移動するので、画像読み取り動作時においても光路Ｈの長さは一定に保持される。
【００７４】
ここで、図４から図７Ｂにより、照明部３４７ａについて詳述する。
図４に示すように、照明部３４７ａは、複数のＬＥＤ５０１が取り付けられたＬＥＤユニット５０３と、導光体５０５と、楕円拡散板５０７と、楕円拡散板５０７により拡散された光の一部を後述する第２反射ミラー５４１側に向かうように反射する第１反射ミラー５４０と、第１反射ミラー５４０からの光を原稿に照射させる第２反射ミラー５４１と、上記ＬＥＤユニット５０３、導光体５０５、楕円拡散板５０７、第１反射ミラー５４０及び第２反射ミラー５４１が取り付けられる取り付け部材５１０と、を備える。
【００７５】
ＬＥＤユニット５０３は、複数のＬＥＤ５０１と、複数のＬＥＤ５０１が取り付けられる金属製で高剛性の板状部材５０２と、を備える。
【００７６】
図５に示すように、複数のＬＥＤ５０１それぞれは、互いに離間して板状部材５０２に取り付けられる。複数のＬＥＤ５０１それぞれは、主走査方向Ｙに一定間隔ごとに並んで配置される。複数のＬＥＤ５０１それぞれは、板状部材５０２を介して金属製で高剛性の取り付け部材５１０に取り付けられる。複数のＬＥＤ５０１それぞれは、原稿Ｇに照射される光を発光する。ここで、複数のＬＥＤ５０１における個数や配置間隔は、後述する導光体５０５及び楕円拡散板５０７の機能や位置関係、更には、第１反射ミラー５４０及び第２反射ミラー５４１の位置関係に対応して設定される。
【００７７】
図４に示すように、導光体５０５は、一端５０５ａが複数のＬＥＤ５０１側を向き、他端５０５ｂがコンタクトガラス３３５側に向くように配置される。導光体５０５は、複数のＬＥＤ５０１それぞれから発光された光をコンタクトガラス３３５側に導く。導光体５０５は、一端５０５ａ側から入光された光を他端５０５ｂ側から出光させる。導光体５０５は、不要な拡散を抑制しながら楕円拡散板５０７に光を導く。ここで、導光体５０５の形状やサイズは、楕円拡散板５０７の機能やＬＥＤ５０１の光における拡散度合等により設定される。
【００７８】
図４に示すように、楕円拡散板５０７は、導光体５０５と原稿Ｇとの間に配置される。具体的には、楕円拡散板５０７は、導光体５０５における他端５０５ｂに取り付けられる。詳細には、楕円拡散板５０７は、導光体５０５における他端５０５ｂに載置された状態で取り付けられる。楕円拡散板５０７は、例えば、接着剤や接着テープにより導光体５０５における他端５０５ｂに取り付けられる。楕円拡散板５０７は、該楕円拡散板５０７に形成される穴部５０７ａ、５０７ａ（図５参照）が導光体５０５に形成される突起状の位置決め部５０５ｃ、５０５ｃ（図５参照）に挿入されるようにして位置決め固定することができる。ここで、楕円拡散板５０７により拡散された光のうち、後述する第１反射ミラー５４０により反射された光を除く光は、コンタクトガラス３３５を介して原稿Ｇに直接照射される。
【００７９】
図４に示すように、光分割手段の一例である反射部材としての第１反射ミラー５４０は、楕円拡散板５０７と原稿との間に配置される。第１反射ミラー５４０は、楕円拡散板５０７における上方であって副走査方向Ｘにおける一方側に偏って配置される。第１反射ミラー５４０は、反射面を第２反射ミラー５４１側に向くようにして配置される。第１反射ミラー５４０は、楕円拡散板５０７により拡散された光の一部を第２反射ミラー５４１側に向かうよう反射させる。詳細には、第１反射ミラー５４０は、楕円拡散板５０７により拡散された光を原稿Ｇに直接照射される第１拡散光Ｈ０１と、第２反射ミラー５４１に照射される第２拡散光Ｈ０２とに分割する。
【００８０】
図４に示すように、反射部としての第２反射ミラー５４１は、取り付け部材５１０におけるミラー保持部５１１に取り付けられる。第２反射ミラー５４１は、反射面を第１反射ミラー５４０及び原稿Ｇ側に向くように配置される。第２反射ミラー５４１は、副走査方向Ｘにおいて光束Ｈ１を中心として楕円拡散板５０７と反対側に配置される。第２反射ミラー５４１は、第１反射ミラー５４０により反射された第１拡散光Ｈ０１を原稿Ｇ側に向かうように反射する。つまり、第２反射ミラー５４１は、楕円拡散板５０７により拡散された光の一部であって原稿Ｇに直接照射されない光を反射させて原稿Ｇに照射させる。
【００８１】
上述より、楕円拡散板５０７により拡散された拡散光のうち第１拡散光Ｈ０１は、副走査方向Ｘにおける一方側から原稿Ｇに照射される。また、楕円拡散板５０７により拡散された拡散光のうち第２拡散光Ｈ０２は、第２反射ミラー５４１に反射されて副走査方向Ｘにおける他方側から原稿Ｇに照射される。原稿Ｇには、副走査方向Ｘにおける一方側及び他方側から第１拡散光Ｈ０１及び第２拡散光Ｈ０２がそれぞれ照射される。
【００８２】
ここで、楕円拡散板５０７は、所定方向における光の拡散率と、所定方向に直交する他の方向における光の拡散率とが異なるように構成された拡散板である。ここで、従来の拡散板５０７Ａと比較して楕円拡散板５０７を説明する。
【００８３】
図６Ａに示すように、従来の拡散板５０７Ａは、ＬＥＤ５０１からの光を均等に拡散させる。つまり、拡散板５０７Ａは、ＬＥＤ５０１からの光を自然状態よりも更に拡散させる機能を有する。
【００８４】
そして、図６Ｂに示すように、楕円拡散板５０７は、ＬＥＤ５０１からの光を所定方向Ｐと該所定方向に直交する他の方向Ｑとにおける光の拡散率が異なるように構成された拡散板である。具体的には、楕円拡散板５０７は、ＬＥＤ５０１からの光を所定方向Ｐにおいては低い拡散率で拡散させ、他の方向Ｑにおいては高い拡散率で拡散させる。楕円拡散板５０７は、ＬＥＤ５０１からの光を所定方向Ｐにおいては実質的に拡散させず、他の方向Ｑにおいては高い拡散率で拡散させる。この場合、図６Ａに示す拡散板５０７Ａを用いた場合に比べて、原稿Ｇに照射される光が強く（光量が多く）なる。具体的には、第１拡散光Ｈ０１及び第２拡散光Ｈ０２（図４参照）の光が強くなり、原稿Ｇに照射される光が強くなる。
【００８５】
本実施形態においては、楕円拡散板５０７は、所定方向が副走査方向Ｘ、他の方向が主走査方向Ｙに沿うように配置される。つまり、楕円拡散板５０７は、副走査方向Ｘにおいては低い拡散率で光を拡散させ、主走査方向Ｙにおいては高い拡散率で光を拡散させる。
【００８６】
楕円拡散板５０７は、主走査方向Ｙにおける光量差が少ない位置に配置される。好ましくは、楕円拡散板５０７は、主走査方向Ｙにおいて実質的に光量差がない位置に配置される。ここで、主走査方向Ｙにおいて光量差が少ない位置に配置されることが好ましい理由について説明する。
【００８７】
図７Ａに示すように、ＬＥＤ５０１からの光が十分に拡散していない位置（光量差がある位置）に楕円拡散板５０７が配置された場合、楕円拡散板５０７により拡散されて原稿Ｇの照射される光には光量が少ない部分７００と光量が多い部分７０１とができる。つまり、主走査方向Ｙにおいて、原稿Ｇに照射される光における光量ムラが生じる。
【００８８】
ここで、垂直方向上方（図７Ａにおいて上方）に突出するようにカールした光沢がある黒色の原稿Ｇに光が照射された場合、原稿Ｇからの正反射光がＣＣＤ３５８（図２、３参照）に入射される。この場合、原稿Ｇに照射される光に光量ムラがあるため、読み取られた画像においてＬＥＤ５０１と同じ数の点状フレア画像が発生する。
【００８９】
図７Ｂに示すように、ＬＥＤ５０１から光が十分に拡散した位置（光量差が少ない位置）に楕円拡散板５０７が配置された場合、楕円拡散板５０７により拡散されて原稿Ｇに照射される光は光量差が少なくなるように拡散される。つまり、主走査方向Ｙにおいて、原稿Ｇに照射される光は略均一になる。この場合において、上述のカールした光沢がある黒色の原稿Ｇに光が照射され、正反射光がＣＣＤ３５８（図２、３参照）に入射されても、読み取られた画像において点状フレア画像は発生しない。
【００９０】
上述のことから、楕円拡散板５０７は、主走査方向Ｙにおける光量差が少ない位置に配置され、好ましくは、主走査方向Ｙにおいて実質的に光量差がない位置に配置される。
ここで、上述の導光体５０５（図４参照）は、楕円拡散板５０７に入射される光における光量差が少なくなる長さ（光が進む方向への長さ）となるよう設定される。
【００９１】
図４に示すように、取り付け部材５１０は、第１枠体３４７ｃにおける上方（図４において上方）に配置される。取り付け部材５１０には、ＬＥＤユニット５０３と、導光体５０５と、第１反射ミラー５４０と、第２反射ミラー５４１とが取り付けられる。複数のＬＥＤ５０１は、ＬＥＤユニット５０３を介して取り付け部材５１０に取り付けられる。楕円拡散板５０７は、導光体５０５を介して取り付け部材５１０に取り付けられる。つまり、取り付け部材５１０により、複数のＬＥＤ５０１と楕円拡散板５０７とにおける位置関係は保持される。更には、第１反射ミラー５４０と第２反射ミラー５４１とは、互いの位置関係が保持された状態で取り付け部材に取り付けられる。
【００９２】
続けて、本実施形態の画像読取装置３００における作用について説明する。
まず、原稿送り部７０（図１参照）を開状態にすると共に、読取面３０２Ａ（図２参照）を構成する第２読取面３０４Ａ（図３参照）に原稿Ｇを載置する。光学センサ３６２（図３参照）により第２読取面３０４Ａに原稿が載置されたことが検知されることで、照明ユニット３４７及びミラーユニット３４９（図３参照）は、第２位置３０４（図３参照）に配置される。
【００９３】
次いで、原稿送り部７０を閉状態にする。そして、不図示のスタートスイッチを押すことで、カラーコピー機１に対して、原稿Ｇの画像を複製することを指示する。スタートスイッチが押されることで、画像読取装置３００による原稿Ｇの画像を読み取り動作が開始される。
【００９４】
具体的には、まず、複数のＬＥＤ５０１（図３参照）が点灯される。点灯された複数のＬＥＤ５０１からの光は、導光体５０５（図３参照）を介して楕円拡散板５０７（図３参照）に入射される。楕円拡散板５０７に入射された光は、主走査方向Ｙに拡散されると共に、副走査方向Ｘに実質的に拡散されない。拡散された光の一部は、第１反射ミラー５４０（図３参照）により第２反射ミラー５４１（図３参照）側に向かうよう反射される（第２拡散光Ｈ０２（図４参照））。そして、第１反射ミラー５４０からの光（第２拡散光Ｈ０２）は、第２反射ミラー５４１に反射されて原稿Ｇに照射される。また、拡散された光のうち第１反射ミラー５４０により反射されない光（第１拡散光Ｈ０１（図４参照））は、直接原稿Ｇに照射される。原稿Ｇは、垂直方向下側であって副走査方向Ｘにおける一方側から第１拡散光Ｈ０１が照射されると共に、垂直方向下側であって副走査方向Ｘにおける他方側から第２拡散板光０２が照射される。原稿Ｇには、主走査方向Ｙに延びるような態様のライン状の光が照射される。
【００９５】
原稿Ｇに照射される光は、上述の通り、主走査方向Ｙにおいて均一な光量となるよう調整されている。また、原稿Ｇに照射される光は、副走査方向Ｘにおいて実質的に拡散されてないいので、通常の拡散板を用いた場合や、拡散板を用いない場合に比べて、照射される光の単位面積当たりの光量が多くなる。
【００９６】
原稿Ｇへの光の照射がされた状態で、照明ユニット３４７及びミラーユニット３４９それぞれは、副走査方向Ｘに移動される。照明ユニット３４７及びミラーユニット３４９それぞれは、光路Ｈにおける光路長を一定に保持しながら移動する。
【００９７】
原稿Ｇからの光束は、第１ミラー３４７ｂ、第２ミラー３４９ａ及び第３ミラー３４９ｂに反射された後、結像レンズ３５７に入射される（図３参照）。
【００９８】
結像レンズ３５７は、原稿Ｇの画像を結像させる。結像位置に配置されたＣＣＤ３５８は、ガイド部材３６０の開口窓３６０ａを通過して該ＣＣＤ３５８上に結像された画像に基づいて、原稿Ｇの画像を画像情報として読み込む（図３参照）。
【００９９】
ここで、楕円拡散板５０７からの光が主走査方向Ｙにおいて均一な光量となるよう調整されているので、例えば、カールした光沢がある黒色の原稿Ｇからの正反射光がＣＣＤ３５８に入射されても、読み取られた画像において点状フレア画像は発生しない。
また、楕円拡散板５０７からの光が主走査方向Ｙにおいて均一な光量となるよう調整されているので、原稿Ｇの画像は好適に読み込まれる。
また、楕円拡散板５０７からの光を分割して原稿Ｇに対して副走査方向Ｘにおける一方側と他方側との双方から光が照射されるので、読み取られた画像にエッジ影が発生することを抑制できる（図３参照）。
【０１００】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される（図３参照）。
【０１０１】
装置本体Ｍにおいて、入力された画像情報は、不図示の画像形成制御部に入力される。画像形成制御部は、画像情報に基づいて、画像形成部を構成する像担持体としての感光体ドラム２、帯電部１０、レーザスキャナユニット４や現像器１６等を制御する。感光体ドラム２には、画像情報に基づいて、所定のトナー画像が形成される（図１参照）。
【０１０２】
搬送路Ｌを介して感光体ドラム２により形成される転写ニップＮに搬送された用紙Ｔには、画像情報に基づいて原稿Ｇの画像と同じ画像が転写される。画像が形成された用紙Ｔは、排紙部５０から装置本体Ｍの外部に排紙される（図１参照）。
【０１０３】
本実施形態によれば、原稿Ｇと複数のＬＥＤ５０１との間に楕円拡散板５０７を配置しているので、原稿Ｇに照射される光における光量ムラが抑制された画像読取装置３００を提供することができる。また、これにより、読取画像における濃度ムラや点状のフレア画像の発生を抑制できる。
【０１０４】
また、本実施形態によれば、複数のＬＥＤ５０１から発光された光の一部であって直接原稿Ｇに照射されない光が反射部としての第２反射ミラー５４１により原稿Ｇに照射されるので、読取画像におけるエッジ影の発生が抑制される。つまり、本実施形態によれば、読取画像におけるエッジ影が抑制されると共に、濃度ムラや点状のフレア画像の発生を抑制できる。
【０１０５】
また、本実施形態によれば、楕円拡散板５０７により主走査方向Ｙにより高い拡散率で光を拡散させて原稿Ｇに照射させている。これにより、主走査方向Ｙに並んで配置されるＬＥＤ５０１の個数を減らすことができる。よって、カラーコピー機１において、材料コストを削減することができる。
【０１０６】
また、本実施形態によれば、副走査方向Ｘにおける拡散率が低い楕円拡散板５０７を用いているので、原稿Ｇに照射される単位面積当たりの光量を多くすることができる。これにより、原稿Ｇの画像を好適に読み込むことができると共に、ＬＥＤ５０１の個数を減らすことができる。
【０１０７】
また、本実施形態によれば、楕円拡散板５０７を該楕円拡散板５０７に入射される光における光量ムラがない位置に配置したので、原稿Ｇに照射される光を均一にすることができる。
【０１０８】
また、本実施形態によれば、光量ムラのない略均一な光を第１反射ミラー５４０により第２反射ミラー５４１に向かうよう反射させている。これにより、第２反射ミラー５４１は、楕円拡散板５０７から原稿Ｇに直接照射される第１拡散光Ｈ０１とは副走査方向Ｘにおいて反対側から原稿Ｇに対して光量ムラのない略均一な光を照射させることができる。
【０１０９】
また、本実施形態によれば、導光体５０５を用いて複数のＬＥＤ５０１からの光を不要な拡散を抑制しながら楕円拡散板５０７に導いている。これにより、複数のＬＥＤ５０１からの光を無駄なく楕円拡散板５０７に入射させることができる。
【０１１０】
また、本実施形態によれば、導光体５０５のサイズにより、楕円拡散板５０７を好適な位置に取り付けることができる。つまり、導光体５０５のサイズ（光が向かう方向の長さ）を複数のＬＥＤ５０１からの光が十分に拡散するように設定することで、楕円拡散板５０７により拡散され原稿Ｇに照射される光を主走査方向Ｙにおいて均一にすることができる。
【０１１１】
また、本実施形態によれば、楕円拡散板５０７を導光体５０５の他端５０５ｂに取り付けている。これにより、原稿Ｇに照射される光が均一になる位置に楕円拡散板５０７を簡易かつ確実に取り付けることができる。
【０１１２】
また、本実施形態によれば、複数のＬＥＤ５０１が取り付けられたＬＥＤユニット５０３と、楕円拡散板５０７が取り付けられた導光体５０５とが金属製であって高剛性の取り付け部材５１０に取り付けられる。これにより、複数のＬＥＤ５０１と楕円拡散板５０７とにおける位置関係が維持される。よって、安定的に主走査方向Ｙにおいて光量ムラのない光を原稿Ｇに照射させることができる。
【０１１３】
また、本実施形態によれば、上述の効果を有する画像読取装置を備えるカラーコピー機１を提供することができる。カラーコピー機１においても、上述した画像読取装置３００における効果を得ることができる。
【０１１４】
ここで、本実施形態において、光分割手段として、第１反射ミラー５４０について説明しているが、これに限定されない。光分割手段として、例えば、ミラー面を有する立体形状（例えば、三角柱）の透明部材等の反射部材や、レンズや偏光板等の屈曲部材等を用いてもよい。また、光分割手段は、１つの部材で構成されてもよく、複数の部材により構成されていてもよい。また、光分割手段は、楕円拡散板５０７と別個独立して配置されてもよく、楕円拡散板５０７に一体的に取り付けられていてもよい。
【０１１５】
図８により、光分割手段としてミラー面を有する透明部材を適用した場合における構成について説明する。
図８は、光分割手段がミラー面５４０ａを有する三角柱形状の透明部材５４０Ａである場合を説明する図である。
【０１１６】
図８に示すように、光分割手段としての透明部材５４０Ａは、ミラー面５４０ａが楕円拡散板５０７Ｂに対して所定角度をなすように配置される。透明部材５４０Ａは、楕円拡散板５０７Ｂ上に取り付けられる。透明部材５０４Ａが立体的で透明な部材であるので、保持部材を必要とすることなくミラー面５４０ａを所定角度で保持できる。これにより、光分割手段としての透明部材５４０Ａを光束Ｈ１の位置を気にすることなく第２反射ミラー５４１に近づけて配置することができる。
【０１１７】
楕円拡散板５０７Ｂにより拡散された拡散光の一部は、第１拡散光Ｈ０１として原稿Ｇに直接照射される。また、楕円拡散板５０７Ｂにより拡散された拡散光の一部は、透明部材５４０Ａにおけるミラー面５４０ａにより第２拡散光Ｈ０２として第２反射ミラー５４１側に反射される。第２拡散光Ｈ０２は、第２反射ミラー５４１により反射され原稿Ｇに照射される。
【０１１８】
また、本実施形態において、光分割手段としての第１反射ミラー５４０により拡散光を原稿Ｇに直接照射されない第２拡散光Ｈ０２に分割しているが、これに限定されない。光分割手段により拡散光を直接原稿Ｇに照射される第１拡散光Ｈ０１に分割してもよい。
図９により、光分割手段としての第１反射ミラー５４０Ｂにより拡散光の一部を第１拡散光Ｈ０１に分割する場合について説明する。
図９は、第１反射ミラー５４０Ｂにより拡散光の一部が原稿Ｇに直接照射される第１拡散光Ｈ０１に分割される場合を説明する図である。
【０１１９】
図９に示すように、導光体５０５Ａは、出光側である他端５０５ｂが第２反射ミラー５４１側を向くように配置される。他端５０５ｂから出光され楕円拡散板５０７Ｃにより拡散された拡散光の一部は、第２反射ミラー５４１に直接照射される。つまり、拡散光の一部は、所定の分割手段（後述する第１反射ミラー５４０Ｂ）により分割されることなく第２拡散光Ｈ０２となる。
【０１２０】
光分割手段としての第１反射ミラー５４０Ｂは、楕円拡散板５０７Ｃに対して所定角度をなすように配置される。第１反射ミラー５４０Ｂは、楕円拡散板５０７Ｃからの拡散光における一部を原稿Ｇ側に向かうように反射させる。つまり、拡散光の一部は、分割手段としての第１反射ミラー５４０Ｂにより反射されて第１拡散光Ｈ０１となる。
【０１２１】
また、本実施形態において、楕円拡散板５０７は、導光体５０５に取り付けられているが、これに限定されず、例えば、一体的に構成された高剛性の取り付け部材に直接取り付けるようにしてもよい。
【０１２２】
図１０Ａから図１０Ｃにより、他の取り付け部材としての取り付け部材５２０について説明する。図１０Ａは、取り付け部材５２０にＬＥＤユニット５０３及び楕円拡散板５０７Ｄが取り付けられた状態を説明する図である。図１０Ｂは、取り付け部材５２０における斜視図である。図１０Ｃは、第２固定穴５２５、５２５が形成されたＬＥＤユニット５０３における斜視図である。
【０１２３】
図１０Ａから図１０Ｃに示すように、他の取り付け部材として、原稿Ｇ側に形成され楕円拡散板５０７Ｄが載置される載置部としての第１載置部５２１と、第１載置部５２１に形成され主走査方向Ｙに延びるように形成される開口部５２２と、第１載置部５２１における垂直方向下側の端部に連続して形成され第１反射ミラー５４０を固定する第１固定部６４０と、第１固定部６４０に形成され原稿Ｇからの光束Ｈ１が通るスリット部６４２と、第１載置部５２１における垂直方向上側の端部に連続して形成され第２反射ミラー５４１を固定する第２固定部６４１と、ＬＥＤユニット５０３が載置される部分であってコンタクトガラス３３５と平行になるように配置される第２載置部５２３と、第２載置部５２３に形成されＬＥＤユニット５０３を位置決め固定する第１固定穴５２４、５２４と、を備える取り付け部材５２０を用いてもよい。
【０１２４】
第１載置部５２１には、該第１載置部５２１における原稿Ｇ側に楕円拡散板５０７Ｄが載置される。第１載置部５２１に形成された開口部５２２は、導光体５０５により複数のＬＥＤ５０１から導かれた光であって、楕円拡散板５０７Ｄに入光される光が通るように形成される。
【０１２５】
第１固定部６４０は、第１載置部５２１における垂直方向下側の端部に連続して形成される。第１固定部６４０には、第１反射ミラー５４０が固定される。第１固定部６４０は、第１載置部５２１と共にＹ字を形成するように第１載置部５２１の根元部分から垂直上方に延びるように形成される（図１０Ａ参照）。
また、第１固定部６４０には、光束Ｈ１が通るスリット部６４２が形成される。
【０１２６】
第２固定部６４１は、第１載置部５２１における垂直方向上側の端部に連続して形成される。第２固定部６４１には、第２反射ミラー５４１が固定される。第２固定部６４１は、第１載置部５２１に載置された楕円拡散板５０７Ｄの一部を覆うように配置される。
【０１２７】
ＬＥＤユニット５０３は、第２載置部５２３に載置された状態で取り付け部材５２０に取り付けられる。具体的には、ＬＥＤユニット５０３は、該ＬＥＤユニット５０３に形成された第２固定穴５２５、５２５と第２載置部５２３に形成された第１固定穴５２４、５２４を合わせた状態で不図示の締結部材により固定される。
【０１２８】
図１０Ａに示すように、高剛性である取り付け部材５２０にＬＥＤユニット５０３と、楕円拡散板５０７Ｄと、第１反射ミラー５４０と、第２反射ミラー５４１とを取り付けることで、複数のＬＥＤ５０１と、楕円拡散板５０７Ｄと、第１反射ミラー５４０と、第２反射ミラー５４１とは互いの位置関係が好適に保持される。具体的には、複数のＬＥＤ５０１と楕円拡散板５０７Ｄとは、複数のＬＥＤ５０１からの光が主走査方向において略均一になる位置に楕円拡散板５０７Ｄが配置された位置関係で好適に保持される。また、第１反射ミラー５４０及び第２反射ミラー５４１は、拡散光の一部が第２拡散板光として原稿Ｇにおける所定の位置に照射される位置関係で好適に保持される。
【０１２９】
続けて、図１１及び図１２により、本発明における第２実施形態について説明する。
図１１は、第２実施形態のカラーコピー機１Ａにおける照明ユニット３４７Ａの拡大図である。図１２は、楕円拡散板５０７Ｅの斜視図である。
ここで、第２実施形態におけるカラーコピー機１Ａは、照明ユニット３４７Ａを除いて第１実施形態におけるカラーコピー機１と同様の構成を有する。以下、第１実施形態におけるカラーコピー機１と異なる照明ユニット３４７Ａのみについて説明し、他の構成要素の説明は省略する。
【０１３０】
図１１に示すように、照明部３４７ａ１は、複数のＬＥＤ５０１が取り付けられたＬＥＤユニット５０３と、導光体５０５Ｂと、導光体５０５Ｂにより分割された第２光Ｌ２を反射する反射部としての第２反射ミラー５４１Ｂと、導光体５０５Ｂにより分割された第１光Ｌ１及び第２反射ミラー５４１Ｂからの第２光Ｌ２を拡散させて原稿Ｇに照射させる楕円拡散板５０７Ｅと、上記ＬＥＤユニット５０３、導光体５０５Ｂ、楕円拡散板５０７Ｅ、第２反射ミラー５４１Ｂが取り付けられる取り付け部材５１０Ａと、を備える。
【０１３１】
図１１に示すように、導光体５０５Ｂは、第１出光口５０６ａと第２出光口５０６ｂとを有する。第１出光口５０６ａから出光される第１光Ｌ１（第１拡散光Ｈ０１）は、直接原稿Ｇに照射される。第２出光口５０６ｂから出光される第２光Ｌ２は、第２反射ミラー５４１Ｂに反射された後、（第２拡散光Ｈ０２として）原稿Ｇに照射される。つまり、導光体５０５Ｂは、複数のＬＥＤ５０１からの光を分割して原稿Ｇに直接向かう第１光Ｌ１として第１出光口５０６ａから出光させると共に、第２反射ミラー５４１Ｂに向かう第２光Ｌ２として第２出光口５０６ｂから出光させる。
【０１３２】
図１１に示すように、第２反射ミラー５４１Ｂは、取り付け部材５１０Ａにおけるミラー保持部５１１Ａに取り付けられる。第２反射ミラー５４１Ｂは、導光体５０５Ｂにより分割された第２光Ｌ２を反射して原稿Ｇに照射させる。具体的には、第２反射ミラー５４１Ｂは、導光体５０５Ｂにおける第２出光口５０６ｂから出光された第２光Ｌ２を原稿Ｇ側に向かうように反射する。つまり、第２反射ミラー５４１は、導光体５０５Ｂから出光された光の一部であって原稿Ｇに直接照射されない光を反射させて原稿Ｇに照射させる。
【０１３３】
図１１及び図１２に示すように、楕円拡散板５０７Ｅは、第１拡散部５５２ａと、第２拡散部５５２ｂと、副走査方向Ｘにおいて第１拡散部５５２ａと第２拡散部５５２ｂとの間に形成され主走査方向Ｙに延びるように形成されるスリット部５５３と、を有する。
【０１３４】
第１拡散部５５２ａには、第１光Ｌ１が入光される。第１拡散部５５２ａは、第１光Ｌ１を拡散して第１拡散光Ｈ０１として原稿Ｇに照射させる。第２拡散部５５２ｂには、第２反射ミラー５４１Ｂからの第２光Ｌ２が入光される。第２拡散部５５２ｂは、第２光Ｌ２を拡散して第２拡散光として原稿Ｇに照射させる。原稿Ｇには、副走査方向Ｘにおける一方側及び他方側から第１拡散光Ｈ０１及び第２拡散光Ｈ０２がそれぞれ照射される。
【０１３５】
ここで、本実施形態において、楕円拡散板５０７Ｅには、分割された第１光Ｌ１及び第２光Ｌ２が入光され、拡散されて出光される。第１実施形態においては、拡散された後の拡散光を所定の分割手段により分割するが、本実施形態においては、光を分割した後に楕円拡散板５０７Ｅにより拡散させる点で相違する。
【０１３６】
スリット部５５３は、副走査方向Ｘにおいて第１拡散部５５２ａと第２拡散部５５２ｂとの間に形成される。また、スリット部５５３は、主走査方向Ｙに延びるように形成される。スリット部５５３は、原稿Ｇにからの光束Ｈ１が拡散されることなく第１ミラー３４７ｂ側に通る部分である。
【０１３７】
取り付け部材５１０Ａには、ＬＥＤユニット５０３、導光体５０５Ｂ、楕円拡散板５０７Ｅ、第２反射ミラー５４１Ｂが取り付けられる。
ＬＥＤユニット５０３及び導光体５０５Ｂは、台座部５４９に位置決め固定される。ＬＥＤユニット５０３及び導光体５０５Ｂは、導光体５０５Ｂにおける第１出光口５０６ａ及び第２出光口５０６ｂがそれぞれ原稿Ｇ及び第２反射ミラー５４１Ｂを向くように位置決め固定される。
【０１３８】
第２反射ミラー５４１Ｂは、ミラー保持部５１１Ａに固定される。第２反射ミラー５４１は、第２光Ｌ２が原稿Ｇにおける所定の位置に照射されるように角度を調整されて固定される。
【０１３９】
楕円拡散板５０７Ｅは、取り付け部材５１０Ａにける上面に形成される開口部としての上面開口部５５０を塞ぐように配置される。楕円拡散板５０７Ｅは、外縁が上面開口部５５０の周囲に形成される拡散板保持部５５１に保持された状態で配置される。
【０１４０】
続けて、本実施形態の画像読取装置３００における作用について説明する。
まず、原稿送り部７０を開状態にすると共に、読取面３０２Ａを構成する第２読取面３０４Ａ（図３参照）に原稿Ｇを載置する。光学センサ３６２（図３参照）により第２読取面３０４Ａに原稿が載置されたことが検知されることで、照明ユニット３４７及びミラーユニット３４９は、第２位置３０４に配置される。
【０１４１】
次いで、原稿送り部７０を閉状態にする。そして、不図示のスタートスイッチを押すことで、カラーコピー機１に対して、原稿Ｇの画像を複製することを指示する。スタートスイッチが押されることで、画像読取装置３００による原稿Ｇの画像を読み取り動作が開始される。
【０１４２】
具体的には、まず、複数のＬＥＤ５０１（図１１参照）が点灯される。点灯された複数のＬＥＤ５０１からの光は、導光体５０５Ｂにより第１光Ｌ１と第２光Ｌ２とに分割される。具体的には、複数のＬＥＤ５０１からの光は、導光体５０５Ｂにより分割され第１光Ｌ１として第１出光口５０６ａから出光されると共に、第２光Ｌ２として第２出光口５０６ｂから出光される（図１１参照）。
【０１４３】
第１光Ｌ１は、楕円拡散板５０７Ｅにおける第１拡散部５５２ａに入光される。第２光Ｌ２は、第２反射ミラー５４１Ｂにより原稿Ｇ側に反射され楕円拡散板５０７Ｅにおける第２拡散部５５２ｂに入光される。そして、第１光Ｌ１及び第２光Ｌ２それぞれは、拡散されて第１拡散光Ｈ０１及び第２拡散光Ｈ０２として原稿Ｇに照射される（図１１参照）。
【０１４４】
ここで、楕円拡散板５０７Ｅに入射された光は、主走査方向Ｙに拡散されると共に、副走査方向Ｘに実質的に拡散されない。原稿Ｇは、垂直方向下側であって副走査方向における一方側から第１拡散光Ｈ０１が照射されると共に、垂直方向下側であって副走査方向における他方側から第２拡散板光０２照射される。原稿Ｇには、主走査方向Ｙに延びるような態様のライン状の光が照射される。
【０１４５】
原稿Ｇに照射される光は、上述の通り、主走査方向Ｙにおいて均一な光量となるよう調整されている。また、原稿Ｇに照射される光は、副走査方向Ｘにおいて実質的に拡散されてないいので、通常の拡散板を用いた場合や、拡散板を用いない場合に比べて、照射される光の単位面積当たりの光量が多くなる。
【０１４６】
原稿Ｇへの光の照射がされた状態で、照明ユニット３４７及びミラーユニット３４９それぞれは、副走査方向Ｘに移動される。照明ユニット３４７及びミラーユニット３４９それぞれは、光路Ｈにおける光路長を一定に保持しながら移動する。
【０１４７】
原稿Ｇからの光束は、第１ミラー３４７ｂ、第２ミラー３４９ａ及び第３ミラー３４９ｂに反射された後、結像レンズ３５７に入射される（図３参照）。
【０１４８】
結像レンズ３５７は、原稿Ｇの画像を結像させる。結像位置に配置されたＣＣＤ３５８は、ガイド部材３６０の開口窓３６０ａを通過して該ＣＣＤ３５８上に結像された画像に基づいて、原稿Ｇの画像を画像情報として読み込む（図３参照）。
【０１４９】
ここで、楕円拡散板５０７からの光が主走査方向Ｙにおいて均一な光量となるよう調整されているので、例えば、カールした光沢がある黒色の原稿Ｇからの正反射光がＣＣＤ３５８に入射されても、読み取られた画像において点状フレア画像は発生しない。
また、楕円拡散板５０７からの光が主走査方向Ｙにおいて均一な光量となるよう調整されているので、原稿Ｇの画像は好適に読み込まれる。
また、楕円拡散板５０７からの光を分割して原稿Ｇに対して副走査方向Ｘにおける一方側と他方側との双方から光が照射されるので、読み取られた画像にエッジ影が発生することを抑制できる。
【０１５０】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される。
【０１５１】
装置本体Ｍにおいて、入力された画像情報は、不図示の画像形成制御部に入力される。画像形成制御部は、画像情報に基づいて、画像形成部を構成する像担持体としての感光体ドラム２、帯電部１０、レーザスキャナユニット４や現像器１６等を制御する。感光体ドラム２には、画像情報に基づいて、所定のトナー画像が形成される（図１参照）。
【０１５２】
搬送路Ｌを介して感光体ドラム２により形成される転写ニップＮに搬送された用紙Ｔには、画像情報に基づいて原稿Ｇの画像と同じ画像が転写される。画像が形成された用紙Ｔは、排紙部５０から装置本体Ｍの外部に排紙される（図１参照）。
【０１５３】
本実施形態によれば、第１実施形態における効果の得ることができると共に、以下に示す効果を得ることができる。
本実施形態によれば、第１実施形態よりも分割手段としての第１反射ミラー５４０等が必要ないので、部品点数を更に少なくすることができる。
【０１５４】
また、本実施形態によれば、１つの部材である導光体５０５Ｂにより光を分割しているので、分割された光（Ｌ１、Ｌ２）の出光角度等の精度を高くすることができる。
【０１５５】
ここで、本実施形態において、複数のＬＥＤ５０１からの光を導光体５０５Ｂにより分割しているが、これに限定されず、第１実施形態と同様に第１反射ミラー５４０及び第２反射ミラー５４１の組み合わせによって分割するように構成してもよい。
【０１５６】
また、第１実施形態と同様、取り付け部材５１０Ａの形状等は本実施形態で説明した形状等に限定されない。
【０１５７】
以上、好適な実施形態として第１実施形態及び第２実施形態について説明したが、本発明は上述した実施形態に限定されることなく種々の形態で実施することができる。例えば、本実施形態において、画像形成装置としてカラーコピー機１につい説明しているが、これに限定されず、モノクロコピー機、プリンタ、ファクシミリ及びこれらの複合機等であってもよい。
【０１５８】
また、第１実施形態及び第２実施形態において、画像読取装置３００は、装置本体Ｍと一体的に形成されているが、これに限定されず、装置本体Ｍと別個の筐体により構成されていてもよい。例えば、画像読取装置３００は、装置本体Ｍに対して着脱可能に構成されてもよい。
【０１５９】
また、第１実施形態及び第２実施形態において、画像読取装置３００は、画像形成装置としてのカラーコピー機１の一部を構成しているが、これに限定されず、例えば、イメージスキャナ等の単体として用いられる装置であってもよい。
【０１６０】
また、第１実施形態及び第２実施形態において、発光部としてＬＥＤ５０１について説明しているが、これに限定されない。例えば、発光部として、有機ＥＬ（Ｏｒｇａｎｉｃ  Ｅｌｅｃｔｒｏ−Ｌｕｍｉｎｅｓｃｅｎｃｅ）、光ファイバーを利用したものや各種ランプを用いることができる。
【０１６１】
また、第１実施形態及び第２実施形態において、照明部３４７ａ、ａ１は複数のＬＥＤ５０１と楕円拡散板との間に導光体を備えるが、これに限定されず、複数のＬＥＤ５０１からの光が直接楕円拡散板に入射されるように構成してもよい。
【０１６２】
また、本実施形態において、拡散板として所定方向における拡散率が高くなるように調整された楕円拡散板を用いた例について説明しているが、これに限定されず、全方向に対して同じ拡散率である拡散板等を用いてもよい。
【図面の簡単な説明】
【０１６３】
【図１】カラーコピー機１における各構成要素の配置を説明するための左側面図である。
【図２】読取部３０１の内部構造を示す概略平面図である。
【図３】図２を矢印Ｓ方向から見た図である。なお、図３は、図２において示される部材を説明のために適宜省いた模式的な図である。
【図４】照明部３４７ａの構成を説明する断面図である。
【図５】照明部３４７ａの構成を説明する上方から見た平面図である。
【図６Ａ】従来の拡散板５０７Ａを用いた場合における光の拡散状態を説明する模式図である。
【図６Ｂ】楕円拡散板５０７を用いた場合における光の拡散状態を説明する模式図である。
【図７Ａ】楕円拡散板５０７の配置位置における一例を示す図である。
【図７Ｂ】楕円拡散板５０７の配置位置における他の例を示す図である。
【図８】光分割手段がミラー面５４０ａを有する三角柱形状の透明部材５４０Ａである場合を説明する図である。
【図９】第１反射ミラー５４０Ｂにより拡散光の一部が原稿Ｇに直接照射される第１拡散光Ｈ０１に分割される場合を説明する図である。
【図１０Ａ】取り付け部材５２０にＬＥＤユニット５０３及び楕円拡散板５０７Ｄが取り付けられた状態を説明する図である。
【図１０Ｂ】取り付け部材５２０における斜視図である。
【図１０Ｃ】第２固定穴５２５、５２５が形成されたＬＥＤユニット５０３における斜視図である。
【図１１】第２実施形態のカラーコピー機１Ａにおける照明ユニット３４７Ａの拡大図である。
【図１２】楕円拡散板５０７Ｅの斜視図である。
【符号の説明】
【０１６４】
１……カラーコピー機（画像形成装置）、２ａ、２ｂ、２ｃ、２ｄ……感光体ドラム（像担持体）、１６……現像器、３００……画像読取装置、３４７ａ……照明部（照明手段）、３４７ｂ……第１ミラー（ミラー）、３４９ａ……第２ミラー（ミラー）、３４９ｂ……第３ミラー（ミラー）、３５７……結像レンズ、３５８……ＣＣＤ（読取手段）、５０１……ＬＥＤ５０１（発光部）、５０５……導光体、５０７Ａ……拡散板、５０７、５０７Ｂ、５０７Ｃ、５０７Ｄ、５０７Ｅ……楕円拡散板、５１０……取り付け部材、５２０……取り付け部材、５２１……第１載置部（載置部）、５２２……開口部、５３０……取り付け部材、Ｇ……原稿、Ｈ……光路、Ｎ……転写ニップ（転写部）、Ｘ……副走査方向、Ｙ……主走査方向、第２反射ミラー５４１（反射部）、第１反射ミラー５４０（光分割手段）
【図１】
0005288880.tif 000002
【図２】
0005288880.tif 000003
【図３】
0005288880.tif 000004
【図４】
0005288880.tif 000005
【図５】
0005288880.tif 000006
【図６Ａ】
0005288880.tif 000007
【図６Ｂ】
0005288880.tif 000008
【図７Ａ】
0005288880.tif 000009
【図７Ｂ】
0005288880.tif 000010
【図８】
0005288880.tif 000011
【図９】
0005288880.tif 000012
【図１０Ａ】
0005288880.tif 000013
【図１０Ｂ】
0005288880.tif 000014
【図１０Ｃ】
0005288880.tif 000015
【図１１】
0005288880.tif 000016
【図１２】
0005288880.tif 000017